(57)【要約】【課題】１つのミキサで複数の周波数帯のＲＦ信号を同時にダウンコンバージョンし且つ複数の低周波信号毎に周波数選択性のある利得制御を行う。【解決手段】無線通信装置１００は、入力された複数のＲＦ信号１０２Ａの周波数に対応する複数のＬＯ信号１０３Ａを生成するＬＯ信号生成部１０３と、前記ＬＯ信号生成部１０３によって生成された複数のＬＯ信号１０３Ａを加算することによって加算信号１０４Ａを生成する加算部１０４と、前記複数のＲＦ信号１０２Ａと前記加算部によって生成された加算信号１０４Ａをミキシングすることによって、複数のベースバンド信号１０５Ａを生成するミキサ１０５と、を備えている。【選択図】図１
2009232206.tif 000002
【特許請求の範囲】
【請求項１】
入力された複数のＲＦ信号の周波数に対応する複数のＬＯ信号を生成するＬＯ信号生成部と、
前記ＬＯ信号生成部によって生成された複数のＬＯ信号を加算することによって加算信号を生成する加算部と、
前記複数のＲＦ信号と前記加算部によって生成された加算信号をミキシングすることによって、複数のベースバンド信号を生成するミキサと、
前記ミキサによって生成された複数のベースバンド信号に対して信号処理を行う第１信号処理部と、
を備えたことを特徴とする無線通信装置。
【請求項２】
前記ＬＯ信号生成部は、前記複数のＬＯ信号を増幅する複数の可変利得増幅器と、
前記複数の可変利得増幅器を制御する制御信号を生成する制御部と、を有する請求項１に記載の無線通信装置。
【請求項３】
前記複数の可変利得増幅器の出力信号振幅に応じたＬＯ検出信号を生成するＬＯ検出部を更に備え、
前記制御部は、前記ＬＯ検出部によって生成されたＬＯ検出信号に応じて前記制御信号を生成する請求項２に記載の無線通信装置。
【請求項４】
前記複数のＲＦ信号振幅に応じたＲＦ検出信号を生成するＲＦ検出部を更に備え、
前記制御部は、前記ＲＦ検出部によって生成されたＲＦ検出信号に応じて前記制御信号を生成する請求項２又は３に記載の無線通信装置。
【請求項５】
複数の符号を含む符号群を生成する符号生成部と、
前記符号生成部によって生成された符号群と前記ＬＯ信号生成部によって生成された複数のＬＯ信号を乗算することによって第１乗算信号を生成する第１乗算部と
前記ミキサによって生成された複数のベースバンド信号に対して信号処理を行う第１信号処理部と、
前記第１信号処理部によって信号処理が行われた複数のベースバンド信号と前記符号群を乗算することによって第２乗算信号を生成する第２乗算部と、を備え、
前記加算部は、前記第１乗算部によって生成された第１乗算信号を加算する請求項１乃至４の何れか１項に記載の無線通信装置。
【発明の詳細な説明】
【技術分野】
【０００１】
本発明は、無線通信装置に関し、特に、複数の周波数帯のＲＦ信号を同時にダウンコンバージョンする受信用ミキサを含む無線通信装置に関する。
【背景技術】
【０００２】
近年、ＧＳＭ（Global System for Mobile Communications）やＷＣＤＭＡ（Wideband Code Division Multiple Access）方式を1台で利用可能な携帯電話のように、携帯電話のマルチバンド化が進んでいる。
【０００３】
一方、近年の携帯電話は、通話用端末としてだけではなく、ＴＶ／ＡＭ／ＦＭなどのマルチメディアコンテンツを配信するための電波を受信することが可能になるなど、多機能なマルチメディア端末としても発展を続けている。
【０００４】
今後は、無線通信装置のマルチバンド化、多機能化の傾向はさらに加速し、様々な周波数帯の信号を同時に送受信することができる無線通信用ＬＳＩが求められる。このような無線通信装置によって実現される事例として、例えば、以下に示すような事例が挙げられる。
【０００５】
第１に、携帯端末やパーソナルコンピュータを利用して、ワンセグ放送や地上波デジタルＴＶ放送の番組を視聴しながら、同時に別の番組を受信して録画している間に、視聴する番組の音声情報をＢｌｕｅｔｏｏｔｈを利用したヘッドセットによって送受信する事例である。
【０００６】
第２に、ＴＶ放送の番組を視聴しながら、同時に大容量のファイルを無線ＬＡＮ経由でダウンロードする事例である。
【０００７】
しかし、このような従来の無線通信装置では、時分割によって送受信する周波数帯を切り替えて使用しているため、１度に送受信可能な周波数帯は１つに限られている。そのため、従来の無線通信装置を用いて上記の事例を実現するためには複数の周波数帯の信号の「同時送受信」、「同時送信」及び「同時受信」機能を実現しなければならない。
【０００８】
複数の周波数帯の信号の同時受信を実現するための従来の無線通信装置は、各周波数帯に対応した複数の受信機を並列に配置することで複数の周波数帯の信号の「同時受信」機能を実現するものである。
【０００９】
しかし、複数の受信機が並列に配置された無線通信装置には、チップ面積やコストが増加するという問題があり、これらの問題を考慮した場合には、可能な限り多くの回路ブロックを各周波数帯間で共有することが望まれる。
【非特許文献１】”A 1.5-V Multi-Mode Quad-Band RF Receiver for GSM/EDGE/CDMA2K in 90-nm Digital CMOS Process”, IEEE Journal of Solid-State Circuits, vol. 41, No.5, pp. 1149-1159, 2006.
【発明の開示】
【発明が解決しようとする課題】
【００１０】
本発明の目的は、１つのミキサで複数の周波数帯のＲＦ信号を同時にダウンコンバージョンし且つ複数の低周波信号毎に周波数選択性のある利得制御を行うことである。
【課題を解決するための手段】
【００１１】
本発明の第１態様によれば、入力された複数のＲＦ信号に対応する複数のＬＯ信号を生成するＬＯ信号生成部と、前記ＬＯ信号生成部によって生成された複数のＬＯ信号を加算することによって加算信号を生成する加算部と、前記入力部によって入力された入力信号と前記加算部によって生成された加算信号をミキシングすることによって、複数のベースバンド信号を生成するミキサと、を備えたことを特徴とする無線通信装置が提供される。
【発明の効果】
【００１２】
本発明によれば、１つのミキサで複数の周波数帯のＲＦ信号を同時にダウンコンバージョンすることができ且つ複数の低周波信号毎に周波数選択性のある利得制御を行うことができる。
【発明を実施するための最良の形態】
【００１３】
以下、本発明の実施例について図面を参照して説明する。なお、以下の実施例は、本発明の実施の一形態であって、本発明の範囲を限定するものではない。
【実施例１】
【００１４】
はじめに、本発明の実施例１について説明する。
【００１５】
図１は、本発明の実施例１に係る無線通信装置１００の構成を示すブロック図である。
【００１６】
本発明の実施例１に係る無線通信装置１００は、受信アンテナ１０１、低雑音増幅器（以下「ＬＮＡ」という）１０２、ＬＯ信号生成部１０３、加算部１０４、ミキサ１０５、第１信号処理部１０６及び第２信号処理部１０７を備えている。
【００１７】
１０１Ａは複数のＲＦ信号であり、１０２Ａは複数チャネル（例えば、Ｉｃｈ及びＱｃｈ）のＲＦ入力信号であり、１０３Ａは複数のＬＯ信号であり、１０４Ａは複数チャネルのＬＯ入力信号であり、１０５Ａは複数チャネルのベースバンド（以下「ＢＢ」という）信号であり、１０６Ａ及び１０７Ａは信号処理されたＢＢ信号である。
【００１８】
アンテナ１０１は、図示されない外部の基地局から複数のＲＦ信号１０１Ａを受信し、複数のＲＦ信号１０１Ａを同時にＬＮＡ１０２に出力する。
【００１９】
ＬＮＡ１０２は、アンテナ１０１から出力された複数のＲＦ信号１０１Ａを増幅することによって複数チャネルのＲＦ入力信号１０２Ａを生成し、複数チャネルのＲＦ入力信号１０２Ａをミキサ１０５に出力する。
【００２０】
ＬＯ信号生成部１０３は、ＬＮＡ１０２から出力された複数チャネルのＲＦ入力信号１０２Ａに対応する複数のＬＯ信号１０３Ａを生成し、複数のＬＯ信号１０３Ａを加算部１０４に出力する。
【００２１】
加算部１０４は、ＬＯ信号生成部１０３から出力された複数のＬＯ信号１０３Ａを加算することによって複数チャネルのＬＯ入力信号１０４Ａを生成し、複数チャネルのＬＯ入力信号１０４Ａをミキサ１０５に出力する。
【００２２】
ミキサ１０５は、ＬＮＡ１０２から出力された複数チャネルのＲＦ入力信号１０２Ａ及び加算部１０４から出力された複数チャネルのＬＯ入力信号１０４Ａをミキシングし、複数チャネルのＲＦ入力信号１０２Ａを同時にダウンコンバージョンすることによってＢＢ信号１０５Ａを生成し、ＢＢ信号１０５Ａを第１信号処理部１０６に出力する。
【００２３】
第１信号処理部１０６は、ミキサ１０５から出力された複数チャネルのＢＢ信号１０５Ａに対して、第２信号処理部１０７のダイナミックレンジ（入力可能範囲）に合せて信号レベルを調整するための増幅若しくは減衰又は不要な雑音や妨害波を除去するフィルタ処理（ろ波）を行い、信号処理されたＢＢ信号１０６Ａを第２信号処理部１０７に出力する。
【００２４】
第２信号処理部１０７は、第１信号処理部１０６によって信号処理されたＢＢ信号１０６Ａのそれぞれに対して、信号レベルの調整又は不要な雑音や妨害波を除去するフィルタ処理（ろ波）を行い、信号処理されたＢＢ信号１０７Ａを図示されない後段の装置に出力する。
【００２５】
第１信号処理部１０６、第２信号処理部１０７及び図示されない後段の装置は、信号レベルを調整するための増幅及び減衰を行うＶＧＡ（Ｖａｒｉａｂｌｅ Ｇａｉｎ Ａｍｐｌｉｆｉｒｅ）、不要な雑音や妨害波を除去するフィルタ処理を行うフィルタ、アナログ信号をデジタル信号に変換するＡＤ変換器、例えばＦＦＴなどの様々なデジタル信号処理を行うデジタル信号処理装置などを含む装置の総称である。例えば、第１信号処理部１０６は、アナログＶＧＡ、アナログフィルタ及びＡＤ変換器であり、第２信号処理部１０７は、デジタルＶＧＡ及びデジタルフィルタであり、後段の装置は、デジタル信号処理装置である。なお、本発明の実施例１では、第１信号処理部１０６、第２信号処理部１０７及び後段の装置の構成はこれに限られるものではない。
【００２６】
次に、図１のミキサ１０５の動作原理について説明する。以下では、簡単な動作原理を説明するために、図１のミキサ１０５に２チャネルのＲＦ入力信号１０２Ａ及びＬＯ入力信号１０４Ａが入力される場合について考える。
【００２７】
ここで、ＲＦ１，ＲＦ２はＲＦ入力信号１０２Ａ、ＬＯ１，ＬＯ２はＬＯ入力信号１０４Ａ、Ａ１，Ａ２はＲＦ入力信号１０２Ａ（ＲＦ１，ＲＦ２）の振幅、Ｂ１，Ｂ２はＬＯ入力信号１０４Ａ（ＬＯ１，ＬＯ２）の振幅、ωＬＯ１，ωＬＯ２はＬＯ入力信号１０４Ａ（ＬＯ１，ＬＯ２）の周波数、ωＢＢ１，ωＢＢ２はＢＢ信号１０５Ａの周波数とする。
【００２８】
このとき、ミキサ１０５へのＲＦ入力信号１０２Ａ、ＬＯ入力信号１０４ＡをそれぞれＶｉｎ，ＶＬＯとすると、式１，２のように表される。
【数１】
2009232206.tif 000003
【数２】
2009232206.tif 000004
【００２９】
ミキサ１０５の基本機能は信号の乗算（Ｖｉｎ×ＶＬＯ）であり、ミキサ１０５の出力信号をＶＢＢは、ダウンコンバートされた周波数成分を抽出する式３のように表される。
【数３】
2009232206.tif 000005
【００３０】
式１〜３より、２チャネルのＬＯ入力信号１０４Ａ（ＬＯ１，ＬＯ２）を同時に1つのミキサ１０５に入力して、２チャネルの周波数帯の信号を同時にダウンコンバージョンできることがわかる。
【００３１】
また、２つのＲＦ入力信号１０２Ａ（ＲＦ１，ＲＦ２）に対する利得はそれぞれＢ１，Ｂ２であることがわかる。つまり、ＬＯ信号生成部１０３でＬＯ入力信号１０４Ａの振幅Ｂ１，Ｂ２を制御することによって、ＲＦ入力信号１０２Ａ（ＲＦ１，ＲＦ２）に対する利得を個別に且つ選択的に制御することが可能となる。
【００３２】
以上の結果は、２チャネルの周波数の場合だけではなく、３ｃｈ以上の周波数を利用する場合でも同様である。
【００３３】
図２は、図１のＬＯ信号生成部１０３の構成を示すブロック図である。
【００３４】
図１のＬＯ信号生成部１０３は、第１位相同期ループ回路（以下「ＰＬＬ」という）１０３−１、第２ＰＬＬ１０３−２、可変利得増幅器（以下「ＶＧＡ」という）１０３−３，１０３−４、ＬＯ検出部１０３−５及び制御部１０３−６を備えている。
【００３５】
１０３−１Ａは第１周波数信号であり、１０３−２Ａは第２周波数信号であり、１０３−３Ａは第１ＬＯ信号であり、１０３−４Ａは第２ＬＯ信号である。
【００３６】
第１ＰＬＬ１０３−１は、所定の入力信号に対して第１基準周波数を用いて第１周波数信号１０３−１Ａを生成し、第１周波数信号１０３−１ＡをＶＧＡ１０３−３に出力する。
【００３７】
第２ＰＬＬ１０３−２は、所定の入力信号に対して第２基準周波数を用いて第２周波数信号１０３−２Ａを生成し、第２周波数信号１０３−２ＡをＶＧＡ１０３−４に出力する。
【００３８】
ＶＧＡ１０３−３は、第１ＰＬＬ１０３−１から出力された第１周波数信号１０３−１Ａを増幅することによって第１ＬＯ信号１０３−３Ａを生成し、第１ＬＯ信号１０３−３Ａを加算部１０４に出力する。ＶＧＡ１０３−３は、出力信号振幅をＬＯ検出部１０３−５に出力する。ＶＧＡ１０３−３は、後述の制御信号に基づいて動作する。
【００３９】
ＶＧＡ１０３−４は、第２ＰＬＬ１０３−２から出力された第２周波数信号１０３−２Ａを増幅することによって第２ＬＯ信号１０３−４Ａを生成し、第２ＬＯ信号１０３−４Ａを加算部１０４に出力する。ＶＧＡ１０３−４は、出力信号振幅をＬＯ検出部１０３−５に出力する。ＶＧＡ１０３−４は、後述の制御信号に基づいて動作する。
【００４０】
ＬＯ検出部１０３−５は、ＶＧＡ１０３−３，１０３−４から出力された出力信号振幅に応じたＬＯ検出信号を生成し、制御部１０３−６に出力する。
【００４１】
制御部１０３−６は、ＬＯ検出部１０３−５から出力されたＬＯ検出信号に応じてＶＧＡ１０３−３，１０３−４を制御する制御信号を生成し、ＶＧＡ１０３−３，１０３−４に出力する。
【００４２】
なお、本発明の実施例１では、ＰＬＬとＶＧＡの対は２つに限られるものではなく、複数個であれば幾つでも良い。
【００４３】
図３は、図１の加算部１０４の構成の一例を示す概略図である。
【００４４】
図１の加算部１０４は、ミキサ１０５に接続されたキャパシタＣ１，Ｃ２を用いてＶＧＡ１０３−３から出力された第１ＬＯ信号１０３−３Ａ及びＶＧＡ１０３−４から出力された第２ＬＯ信号１０３−４Ａを加算することによって、複数チャネルのＬＯ入力信号１０４Ａを生成する。
【００４５】
本発明の実施例１によれば、複数チャネルのＲＦ入力信号１０２Ａ及びＬＯ入力信号１０４Ａを同時に１つのミキサ１０５に入力するので、複数チャネルのＲＦ入力信号１０２Ａを同時にダウンコンバージョンすることができる。
【００４６】
また、本発明の実施例１によれば、ＬＯ信号生成部１０３がミキサ１０５に入力される複数チャネルのＬＯ入力信号１０４Ａの振幅を制御するので、チャネル毎に周波数選択性のある利得制御を行うことができる。
【実施例２】
【００４７】
次に、本発明の実施例２について説明する。本発明の実施例１は、位相同期ループ回路（以下「ＰＬＬ」という）を含むＬＯ信号生成部の例であるが、本発明の実施例２は、発振器を含むＬＯ信号生成部の例である。なお、本発明の実施例１と同様の内容についての説明は省略する。
【００４８】
図４は、本発明の実施例２に係るＬＯ信号生成部２０３の構成を示すブロック図である。
【００４９】
本発明の実施例２に係るＬＯ信号生成部２０３は、発振器２０３−１、分周器２０３−２、可変利得増幅器（以下「ＶＧＡ」という）２０３−３，２０３−４、ＲＦ検出部２０３−５及び制御部２０３−６を備えている。
【００５０】
２０３−１Ａは周波数信号であり、２０３−２Ａは第１分周信号であり、２０３−２Ｂは第２分周信号であり、２０３−３Ａは第１ＬＯ信号であり、２０３−４Ａは第２ＬＯ信号である。
【００５１】
発振器２０３−１は、所定の周波数を持つ周波数信号２０３−１Ａを生成し、周波数信号２０３−１Ａを分周器２０３−２に出力する。
【００５２】
分周器２０３−２は、発振器２０３−１から出力された周波数信号２０３−１Ａを分周することによって第１及び第２分周信号２０３−２Ａ，Ｂを生成し、第１分周信号２０３−２ＡをＶＧＡ２０３−３に出力し、第２分周信号２０３−２ＢをＶＧＡ２０３−４に出力する。
【００５３】
ＶＧＡ２０３−３は、分周器２０３−２から出力された第１分周信号２０３−２Ａを増幅することによって第１ＬＯ信号２０３−３Ａを生成し、第１ＬＯ信号２０３−３Ａを加算部２０４に出力する。ＶＧＡ２０３−３は、ＲＦ信号振幅をＲＦ検出部２０３−５に出力する。ＶＧＡ２０３−３は、後述の制御信号に基づいて動作する。
【００５４】
ＶＧＡ２０３−４は、分周器２０３−２から出力された第２分周信号２０３−２Ｂを増幅することによって第２ＬＯ信号２０３−４Ａを生成し、第２ＬＯ信号２０３−４Ａを加算部２０４に出力する。ＶＧＡ２０３−４は、ＲＦ信号振幅をＲＦ検出部２０３−５に出力する。ＶＧＡ２０３−４は、後述の制御信号に基づいて動作する。
【００５５】
ＲＦ検出部２０３−５は、ＶＧＡ２０３−３，２０３−４から出力されたＲＦ出力信号振幅に応じたＲＦ検出信号を生成し、制御部２０３−６に出力する。
【００５６】
制御部２０３−６は、ＲＦ検出部２０３−５から出力されたＲＦ検出信号に応じてＶＧＡ２０３−３，２０３−４を制御する制御信号を生成し、ＶＧＡ２０３−３，２０３−４に出力する。
【００５７】
なお、本発明の実施例２では、分周器２０３−２に代えて、発振器２０３−１から出力される発振信号２０３−１Ａを逓倍することによって第１及び第２逓倍信号を生成する逓倍器が用いられても良い。
【００５８】
本発明の実施例２によれば、発振器と分周器又は逓倍器の組合せを用いた場合であっても、本発明の実施例１と同様の効果を達成することができる。
【実施例３】
【００５９】
次に、本発明の実施例３について説明する。本発明の実施例１は、複数のＬＯ信号を加算する例であるが、本発明の実施例３は、複数のＬＯ信号に所定の符号を乗算し、符号が乗算された複数のＬＯ信号を加算する例である。なお、本発明の実施例１，２と同様の内容についての説明は省略する。
【００６０】
図５は、本発明の実施例３に係る無線通信装置３００の構成を示すブロック図である。
【００６１】
本発明の実施例３に係る無線通信装置３００は、受信アンテナ３０１、低雑音増幅器（以下「ＬＮＡ」という）３０２、ＬＯ信号生成部３０３、加算部３０４、ミキサ３０５、第１信号処理部３０６、第２信号処理部３０７、符号生成部３０８、第１乗算部３０９及び第２乗算部３１０を備えている。
【００６２】
３０１Ａは複数のＲＦ信号であり、３０２Ａは複数チャネル（例えば、Ｉｃｈ及びＱｃｈ）のＲＦ入力信号であり、３０３Ａは複数のＬＯ信号であり、３０４Ａは複数チャネルのＬＯ入力信号であり、３０５Ａは複数チャネルのベースバンド（以下「ＢＢ」という）信号であり、３０６Ａ及び３０７Ａは信号処理されたＢＢ信号であり、３０８Ａ，Ｂは符号群であり、３０９Ａは第１乗算信号であり、３１０Ａは第２乗算信号である。
【００６３】
アンテナ３０１は、図示されない外部の基地局から複数のＲＦ信号３０１Ａを受信し、複数のＲＦ信号３０１Ａを同時にＬＮＡ３０２に出力する。
【００６４】
ＬＮＡ３０２は、アンテナ３０１から出力された複数のＲＦ信号３０１Ａを増幅することによって複数チャネルのＲＦ入力信号３０２Ａを生成し、複数チャネルのＲＦ入力信号３０２Ａをミキサ３０５に出力する。
【００６５】
ＬＯ信号生成部３０３は、ＬＮＡ３０２から出力された複数チャネルのＲＦ入力信号３０２Ａに対応する複数のＬＯ信号３０３Ａを生成し、複数のＬＯ信号３０３Ａを第１乗算部３０９に出力する。
【００６６】
加算部３０４は、第１乗算部３０９から出力された第１乗算信号３０９Ａを加算することによって複数チャネルのＬＯ入力信号３０４Ａを生成し、複数チャネルのＬＯ入力信号３０４Ａをミキサ３０５に出力する。
【００６７】
ミキサ３０５は、ＬＮＡ３０２から出力された複数チャネルのＲＦ入力信号３０２Ａ及び加算部３０４から出力された複数チャネルのＬＯ入力信号３０４Ａをミキシングし、複数チャネルのＲＦ入力信号３０２Ａを同時にダウンコンバージョンすることによってＢＢ信号３０５Ａを生成し、ＢＢ信号３０５Ａを第１信号処理部３０６に出力する。
【００６８】
第１信号処理部３０６は、ミキサ３０５から出力された複数チャネルのＢＢ信号３０５Ａに対して、図示されない後段の装置のダイナミックレンジ（入力可能範囲）に合せて信号レベルを調整するための増幅若しくは減衰又は不要な雑音や妨害波を除去するフィルタ処理（ろ波）を行い、信号処理されたＢＢ信号３０６Ａを第２乗算部３１０に出力する。
【００６９】
第２信号処理部３０７は、第２乗算部３１０から出力された第２乗算信号３１０Ａに対して、信号レベルの調整又は不要な雑音や妨害波を除去するフィルタ処理（ろ波）を行い、信号処理されたＢＢ信号３０７Ａを図示されない後段の装置に出力する。
【００７０】
符号生成部３０８は、複数の符号を含む符号群３０８Ａ，Ｂを生成し、符号群３０８Ａを第１乗算部３０９に出力し、符号群３０８Ｂを第２乗算部３１０に出力する。例えば、符号生成部３０８は、ＣＤＭＡ（Code Division Multiple Access）で使われているＧｏｌｄ系列のＰＮ符号などの符号列を生成する。
【００７１】
第１乗算部３０９は、符号生成部３０８から出力された符号群３０８ＡとＬＯ信号生成部３０３から出力された複数のＬＯ信号３０３Ａを乗算し、乗算結果である第１乗算信号３０９Ａを加算部３０４に出力する。第１乗算部３０９は、複数の乗算器から構成されている。
【００７２】
第２乗算部３１０は、第１信号処理部３０６から出力された信号処理されたＢＢ信号３０６Ａと符号生成部３０８から出力された符号群３０８Ｂを乗算し、乗算結果である第２乗算信号３１０Ａを第２信号処理部３０７に出力する。第２乗算部３１０は、複数の乗算器から構成されている。
【００７３】
次に、本発明の実施例３と本発明の実施例１，２との違いについて説明する。
【００７４】
本発明の実施例１，２では、１０５Ａにはダウンコンバートされた複数チャネルのベースバンド（以下、「ＢＢ」という）信号が含まれているが、それぞれの信号を区別して処理するためには、例えば、周波数軸上で互いの信号が重ならないように配置されるようにＬＯ周波数を選ぶ必要がある。
【００７５】
具体的に例を挙げて説明すると、信号帯域が７９９ＭＨｚ〜８０１ＭＨｚの信号ＲＦ１と信号帯域が６９９ＭＨｚ〜７０５ＭＨｚの信号ＲＦ２を同時に受信する際には、ＲＦ１をダウンコンバートするためのＬＯ信号として８００ＭＨｚの信号を用い、ＲＦ１をダウンコンバートするためのＬＯ信号としては６９８ＭＨｚの信号を用いる。このとき、ＲＦ１は−１ＭＨｚ〜１ＭＨｚのＢＢ信号にダウンコンバートされ（ＢＢ１）、ＲＦ２は１ＭＨｚ〜３ＭＨｚのＢＢ信号にダウンコンバートされる（ＢＢ２）。ＢＢ１とＢＢ２は周波数軸上で重ならないため、区別して処理することができる。
【００７６】
しかし、上記の例では、８０１ＭＨｚ〜８０３ＭＨｚに受信する必要のない信号（以下、「妨害波信号」という）ＲＦ３が存在する場合には、８００ＭＨｚのＬＯ信号によって１ＭＨｚ〜３ＭＨｚに信号がダウンコンバートされる（ＢＢ３）。ＢＢ２とＢＢ３は周波数軸上で重なるため、区別して処理することができず、ＲＦ２の信号を受信することができなくなる。従って、実施例１、２はＲＦ３のような妨害信号が存在しない状況において、非常に有効な手段となる。
【００７７】
一方、本発明の実施例３では、妨害波信号ＲＦ３が存在する場合でも正しく信号を受信することができる。上記の例では、複数のＢＢ信号を区別するために周波数分割多重（ＦＤＭＡ（Ｆｒｅｑｕｅｎｃｙ Ｄｉｖｉｓｉｏｎ Ｍｕｌｔｉｐｌｅ Ａｃｃｅｓｓ）を用いたのに対し、ＣＤＭＡを用いる。
【００７８】
具体的には、図５において、符号生成部３０８によって作成された複数の符号３０８ＡとＬＯ信号生成部３０３によって生成された複数のＬＯ信号３０３Ａが第１乗算部３０９によってそれぞれ乗算され、符号化された複数のＬＯ信号３０９Ａが出力される。この符号化された複数のＬＯ信号３０９Ａを用いて複数のＲＦ信号をダウンコンバートすることによって、符号化された複数のＢＢ信号が作成される。この符号化された複数のＢＢ信号は、３０５Ａ，３０６Ａにおいて周波数軸上では重なった信号となるが、第２乗算部３１０において、符号生成部３０８によって作成された複数の符号３０８Ａと乗算して逆符号化することによって信号を区別することができるようになる。
【００７９】
次に、本発明の実施例３に係る無線通信装置３００の動作について、式を使って２つのＲＦ信号ＲＦ１，ＲＦ２を受信する場合について説明する。
【００８０】
２つのＲＦ信号ＲＦ１，ＲＦ２に対応するＬＯ信号をＬＯ１，ＬＯ２、符号を符号１，符号２とすると、符号化されたＬＯ信号は、それぞれ式１，２のように表される。
［式１］ＬＯ１・符号１
［式２］ＬＯ２・符号２
【００８１】
この符号化されたＬＯ信号によってダウンコンバートされたＢＢ信号は、それぞれ式３，４のように表される。
［式３］（ＲＦ１＋ＲＦ２）・ＬＯ１・符号１
［式４］（ＲＦ１＋ＲＦ２）・ＬＯ２・符号２
【００８２】
複数チャネルのＢＢ信号３０５Ａ及び信号処理されたＢＢ信号３０６Ａにおいて、これらの信号が同時に存在することを考慮すると、式５のように表される。
［式５］（ＲＦ１＋ＲＦ２）・ＬＯ１・符号１＋（ＲＦ１＋ＲＦ２）・ＬＯ２・符号２
【００８３】
第２乗算部３１０によって符号１、符号２と乗算されると、式６，７のように表される。
［式６］（（ＲＦ１＋ＲＦ２）・ＬＯ１・符号１＋（ＲＦ１＋ＲＦ２）・ＬＯ２・符号２）・符号１＝ＲＦ１・ＬＯ１＋ＲＦ２・ＬＯ１
［式７］（（ＲＦ１＋ＲＦ２）・ＬＯ１・符号１＋（ＲＦ１＋ＲＦ２）・ＬＯ２・符号２）・符号１＝ＲＦ２・ＬＯ２＋ＲＦ１・ＬＯ２
（∵  符号１・符号１＝１、符号２・符号２＝１、符号１・符号２＝０（符号１と符号２は直交））
【００８４】
ＲＦ１・ＬＯ１とＲＦ２・ＬＯ１は周波数が異なるので、第２信号処理部３０７によってフィルタ処理されることによって、ＲＦ１・ＬＯ１のみが取り出される。このことは、ＲＦ２・ＬＯ２及びＲＦ２・ＬＯ１についても同様である。すなわち、所望のＲＦ１・ＬＯ１とＲＦ２・ＬＯ２の信号を区別して取り出すことができる。
【００８５】
一方、上記の例のようにＲＦ３が存在する場合には、ＲＦ３・ＬＯ１がフィルタ処理において取り除かれるので、式８，９のように表される。
［式８］（ＲＦ１＋ＲＦ３）・ＬＯ１＝ＲＦ１・ＬＯ１＋ＲＦ３・ＬＯ１＝ＲＦ１・ＬＯ１
［式９］（ＲＦ２＋ＲＦ３）・ＬＯ２＝ＲＦ２・ＬＯ２＋ＲＦ３・ＬＯ２＝ＲＦ２・ＬＯ２
【００８６】
すなわち、本発明の実施例３によれば、ＲＦ３が存在する場合であっても、ＲＦ１・ＬＯ１とＲＦ２・ＬＯ２を区別して取り出すことができ、どのような場合でも正しく信号を受信することができる。
【００８７】
なお、本発明の実施例３では、簡単のために受信信号が２つの場合について説明したが、受信信号は３つ以上であっても同様である。
【実施例４】
【００８８】
次に、本発明の実施例４について説明する。なお、本発明の実施例１〜３と同様の内容についての説明は省略する。
【００８９】
実施例１〜３では、可変利得増幅器の利得はＬＯ信号振幅、ＲＦ信号振幅、ＢＢ信号振幅のいずれか、または、これらの組み合わせに応じて制御されても良い。
【００９０】
また、実施例１〜３では、ＢＢ信号振幅に係る信号は、ＢＢ信号がＡＤ変換された後のデジタル信号であっても良い。例えば、ＬＯ信号振幅を検出し、その大きさに応じて可変利得増幅器の利得を制御することによって、プロセス、電源電圧、温度に依らずＬＯ信号振幅を一定にすることができる。その結果、ミキサの利得も一定にすることができる。
【図面の簡単な説明】
【００９１】
【図１】図１は、本発明の実施例１に係る無線通信装置１００の構成を示すブロック図である。
【図２】図１のＬＯ信号生成部１０３の構成を示すブロック図である。
【図３】図１の加算部１０４の構成の一例を示す概略図である。
【図４】本発明の実施例２に係るＬＯ信号生成部２０３の構成を示すブロック図である。
【図５】本発明の実施例３に係る無線通信装置３００の構成を示すブロック図である。
【符号の説明】
【００９２】
１００〜３００  無線通信装置
１０１〜３０１  アンテナ
１０２〜３０２  ＬＮＡ
１０３〜３０３  ＬＯ信号生成部
１０４〜３０４  加算部
１０５，３０５  第１信号処理部
１０７，３０７  第２信号処理部
３０８  符号生成部
３０９  第１乗算部
３１０  第２乗算部
【図１】
2009232206.tif 000006
【図２】
2009232206.tif 000007
【図３】
2009232206.tif 000008
【図４】
2009232206.tif 000009
【図５】
2009232206.tif 000010